(57)【要約】【課題】  動きを大きく目立たせることが出来ると共に、配設スペースを有利に確保することが出来る、新規な構造の遊技機用役物を提供することを、目的とする。【解決手段】  複数枚の板状部材４８における重ね合わせ方向一方の最も外側に配された一方側被駆動板状部材６２に対して一方側駆動手段１０４，１０６，７６によって往復の駆動力が及ぼされると、複数枚の板状部材４８が連動手段５６，６４，７２，７４によって連係作動されるようにした。【選択図】      図２
2006334015.tif 000002
【特許請求の範囲】
【請求項１】
板厚方向に直交する平面上でそれぞれ変位可能に重ね合わされた複数枚の板状部材と、
該複数枚の板状部材のうち重ね合わせ方向一方の最も外側に配された一方側被駆動板状部材に対して、往復の駆動力を及ぼす一方側駆動手段と、
前記複数枚の板状部材のうち互いに重ね合わせられる二枚の板状部材の何れか一方において係止突起を設けると共に、それら二枚の板状部材の他方において、該係止突起が該板状部材の往復変位方向一方で係合せしめられる第一の係止部と、該係止突起が該板状部材の往復変位方向他方で係合せしめられる第二の係止部とを設けて、それら第一の係止部と第二の係止部の間に該係止突起を位置せしめ、更に、該板状部材の往復変位方向における該第一の係止部と該第二の係止部の離隔距離を該係止突起における該板状部材の往復変位方向での寸法よりも大きくした連動手段と
を、有することを特徴とする遊技機用役物。
【請求項２】
前記複数枚の板状部材のうち重ね合わせ方向他方の最も外側に配された他方側被駆動板状部材に対して、往復の駆動力を及ぼす他方側駆動手段を設けた請求項１に記載の遊技機用役物。
【発明の詳細な説明】
【技術分野】
【０００１】
本発明は、部材の動きによって装飾や演出等の効果を発揮する遊技機用役物に関するものである。
【背景技術】
【０００２】
従来から、パチンコ機等の遊技機には、遊技者を楽しませるために、様々な工夫が施されており、例えば、特許文献１には、可動装飾物を遊技領域に設けて、かかる可動装飾物の動きによって装飾や演出の効果を発揮するようにしたパチンコ機が提案されている。
【０００３】
ところで、可動装飾物によって装飾や演出の効果を高めようとした場合、大きな可動装飾物を設けて、その動きを目立たせることが考えられる。
【０００４】
しかしながら、例えば、パチンコ機において遊技者により発射された遊技球が流下する遊技領域に可動装飾物を設ける場合、可動装飾物の大型化は限られた遊技領域を狭めてしまうという問題がある。また、遊技状況によっては、可動装飾物の動きや配設位置が遊技の邪魔になるおそれもある。
【０００５】
特に、近年のパチンコ機においては、遊技領域の略中央に大型の液晶表示器を備えたものが採用される傾向にあるが、このような液晶表示器の大型化は遊技領域の縮小を伴うものである。それ故、可動装飾物の大型化が一層問題となる。また、大型化された可動装飾物の配設位置によっては、液晶表示器の表示画面が見難くなってしまうおそれもある。
【０００６】
【特許文献１】特開２００３−１８０９９１号公報
【発明の開示】
【発明が解決しようとする課題】
【０００７】
ここにおいて、本発明は、上述の如き事情を背景として為されたものであり、その解決課題とするところは、動きを大きく目立たせることが出来ると共に、遊技をしている遊技者から見える方向の投影において面積を小さくすることにより配設スペースを有利に確保することが出来る、新規な構造の遊技機用役物を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いは、それらの記載から当業者が把握することが出来る発明思想に基づいて認識されるものであることが理解されるべきである。
【０００９】
遊技機用役物に関する本発明の第一の態様は、（ａ）板厚方向に直交する平面上でそれぞれ変位可能に重ね合わされた複数枚の板状部材と、（ｂ）該複数枚の板状部材のうち重ね合わせ方向一方の最も外側に配された一方側被駆動板状部材に対して、往復の駆動力を及ぼす一方側駆動手段と、（ｃ）前記複数枚の板状部材のうち互いに重ね合わせられる二枚の板状部材の何れか一方において係止突起を設けると共に、それら二枚の板状部材の他方において、該係止突起が該板状部材の往復変位方向一方で係合せしめられる第一の係止部と、該係止突起が該板状部材の往復変位方向他方で係合せしめられる第二の係止部とを設けて、それら第一の係止部と第二の係止部の間に該係止突起を位置せしめ、更に、該板状部材の往復変位方向における該第一の係止部と該第二の係止部の離隔距離を該係止突起における該板状部材の往復変位方向での寸法よりも大きくした連動手段とを、有することを、特徴とする。
【００１０】
このような本態様に従う構造とされた遊技機用役物においては、一方側駆動手段による駆動力が一方側被駆動板状部材に対してその往復変位方向一方に及ぼされた場合には、係止突起が第一の係止部に係合せしめられることから、複数枚の板状部材がそれらの往復変位方向一方で相互に連係作動せしめられることとなる。また、一方側駆動手段による駆動力が一方側被駆動板状部材に対してその往復方向他方に及ぼされた場合には、係止突起が第二の係止部に係合せしめられることから、複数枚の板状部材がそれらの往復変位方向他方で相互に連係作動せしめられることとなる。
【００１１】
これにより、一方側駆動手段による駆動力が一方側被駆動板状部材に及ぼされて複数枚の板状部材が相互に連係作動せしめられた際に、複数枚の板状部材を板厚方向から見た場合の面積が増加したり減少したりすることとなる。
【００１２】
その結果、例えば、複数枚の板状部材をそれらの板厚方向において遊技者に見えるようにしておくことで、複数枚の板状部材をそれらの板厚方向に直交する平面上で広がるように、或いは、狭まるように見せることが可能となり、その結果、複数枚の板状部材の動きや変化を大きく目立たせることが可能となる。
【００１３】
また、複数枚の板状部材を板厚方向から見た場合の面積を最小にすることで、複数枚の板状部材の板厚方向に直交する平面上での全体サイズをコンパクトにすることが可能となる。
【００１４】
これにより、例えば、複数枚の板状部材をそれらの板厚方向から遊技者に見えるようにしておくことによって、遊技者から見える方向での配設スペースを有利に確保することが可能となる。
【００１５】
従って、本態様に係る遊技機用役物においては、複数枚の板状部材の動きや変化を大きく目立たせることが可能になると共に、複数枚の板状部材の遊技者から見える方向での配設スペースを有利に確保することが可能となる。
【００１６】
また、複数枚の板状部材をそれらの板厚方向に直交する平面上で広げるように動かす際の動かし方や動く量（範囲）を適当に調節することによって、バリエーションに富んだ装飾乃至は演出態様を実現することが可能となる。
【００１７】
更にまた、遊技状況と対応付けて、複数枚の板状部材をそれらの板厚方向に直交する平面上で広がるように動かすことで、更なる装飾乃至は演出効果を発揮することも可能となる。
【００１８】
遊技機用役物に関する本発明の第二の態様は、前記第一の態様に係る遊技機用役物において、前記複数枚の板状部材のうち重ね合わせ方向他方の最も外側に配された他方側被駆動板状部材に対して、往復の駆動力を及ぼす他方側駆動手段を設けたことを、特徴とする。このような本態様に従う構造とされた遊技機用役物においては、一方側駆動手段の駆動力が一方側被駆動板状部材に及ぼされた場合のみならず、他方側駆動手段の駆動力が他方側被駆動板状部材に及ぼされた場合であっても、複数枚の板状部材を相互に連係作動せしめることが可能となる。これにより、複数枚の板状部材の動きを一層多様なものにすることが可能となり、その結果、複数枚の板状部材の動きを一層大きく目立たせることが可能となる。
【発明の効果】
【００１９】
上述の説明から明らかなように、本発明に従う構造とされた遊技機用役物においては、一方側駆動手段による駆動力が一方側被駆動板状部材に対してその往復変位方向一方に及ぼされた場合には、係止突起が第一の係止部に係合せしめられるようになっており、また、他方側駆動手段による駆動力が他方側被駆動板状部材に対してその往復変位方向他方に及ぼされた場合には、係止突起が第二の係止部に係合せしめられるようになっていることから、複数枚の板状部材がそれらの板厚方向に直交する平面上で広がる際の広がり方等を適当に調節することにより、複数枚の板状部材の動きを大きく目立たせることが可能になる。また、複数枚の板状部材を板厚方向から見た場合の面積が最小となる場合には、板厚方向に直交する平面上での全体サイズをコンパクトにすることが可能となり、かかる平面上での配設スペースを有利に確保することが可能となる。
【発明を実施するための最良の形態】
【００２０】
以下、本発明を更に具体的に明らかにするために、本発明の実施形態について、図面を参照しつつ、詳細に説明する。
【００２１】
図１には、本発明の一実施形態としての遊技機用役物を備えたパチンコ機１０が示されている。パチンコ機１０において機体の外郭をなす外枠１２の開口前面側には、縦長方形の中枠１４が開閉および着脱自在に組み付けられている。また、中枠１４の前面側には、中枠１４に対して着脱自在に組み付けられた遊技盤１６を透視保護するためのガラス板が保持されたガラス枠１８と、上皿２０を備えた皿板２２が、それぞれ、開閉可能な状態で組み付けられている。更にまた、中枠１４には、上皿２０の下方において、下皿２４が設けられており、かかる下皿２４の右方には、操作ハンドル２６が設けられている。
【００２２】
そして、遊技者が操作ハンドル２６に対して回動操作可能に装着された操作レバー２８を回動操作することにより、上皿２０に貯留された遊技球が、図示しない球送り機構を介して発射装置（図示せず）に送られた後、遊技盤１６に形成された遊技領域３０に向けて発射されるようになっている。
【００２３】
続いて、パチンコ機１０の遊技盤１６の構造について説明する。遊技盤１６には、レールセット３２が固定されており、かかるレールセット３２によって略円形の遊技領域３０が形成されている。
【００２４】
この遊技領域３０には、始動入賞装置３４が設けられている。そして、遊技領域３０を流下する遊技球が始動入賞装置３４に入球すると、遊技領域３０の略中央に設けられた液晶表示器３６の表示画面において、図示しない複数の特別図柄が変動表示されるようになっている。そして、これら複数の特別図柄が予め定められた特定の図柄組み合わせで停止表示されると、遊技領域３０において始動入賞装置３４の下方（下流側）に設けられた特別可動入賞装置３８の扉４０が所定の作動条件に従って開閉作動されるようになっており、その結果、特別可動入賞装置３８への遊技球の入球が可能となる。
【００２５】
また、遊技領域３０には、液晶表示器３６の表示画面を全周に亘って取り囲むようにして、枠体形状を呈する遊技機用役物としてのセンター飾り４２が設けられている。これにより、液晶表示器３６の表示画面は、センター飾り４２に形成された透孔４４を通じて、遊技者に視認されるようになっている。
【００２６】
また、センター飾り４２には、図２にも示されているように、透孔４４の内周面において液晶表示器３６の表示画面の下方に位置する部分に対して、遊技球が転動せしめられる転動ステージ４６が形成されている。そして、遊技領域３０を転動する遊技球が、センター飾り４２に形成された図示しないワープ通路を通って転動ステージ４６に誘導されてきて転動ステージ４６を転動せしめられた後、再び、遊技領域３０を流下するようになっている。
【００２７】
更にまた、センター飾り４２には、液晶表示器３６の表示画面の右側において、図３にも示されているように、板状部材としての羽根板４８が板厚方向に複数枚（本実施形態では、７枚）重ね合わされて配設されている。なお、以下の説明において、手前側とは、図３での右側をいい、奥側とは、図３での左側をいうものとする。そして、本実施形態では、奥側が一方の側となり、手前側が他方の側になる。
【００２８】
これら７枚の羽根板４８は、何れも、高さ寸法が上底や下底の寸法よりも十分に大きくされた台形板形状とされており、長手方向（高さ方向）一方の端部側において厚さ方向に貫通する挿通孔５０が形成された構造とされている。
【００２９】
そこにおいて、これら７枚の羽根板４８のうち最も手前側（図３の右側）に配された羽根板４８（以下、最手前側羽根板５２と称する）は、図４乃至６にも示されているように、厚さ方向一方の面側においてボス部５４が突設されている一方、厚さ方向他方の面側において一対の係止凹所５６，５６が形成されている。また、挿通孔５０内には段差５８が形成されており、それによって、挿通孔５０にはボス部５４側においてＤ字断面で延びる部分が形成されている。更にまた、一対の係止凹所５６，５６は、最手前側羽根板５２の長手方向で挿通孔５０を挟んだ位置に形成されている。
【００３０】
また、７枚の羽根板４８のうち最も奥側（図３の左側）に配された羽根板４８（以下、最奥側羽根板６２と称する）は、図７乃至９にも示されているように、厚さ方向一方の面側において一対の係止突起６４，６４が突設されている一方、厚さ方向他方の面側においてボス部６６が突設されている。そこにおいて、一対の係止突起６４，６４は、最奥側羽根板６２の長手方向に延びる直線に対して傾斜した直線上で挿通孔５０を挟んだ位置に設けられてる。また、ボス部６６の突出端には、切欠６８が形成されており、それによって、ボス部６６の突出端側においてＤ字断面で延びる部分が形成されている。
【００３１】
また、７枚の羽根板４８のうち最手前側羽根板５２と最奥側羽根板６２に挟まれている５枚の羽根板４８（以下、中間羽根板７０と称する）は、何れも、図１０乃至１２に示されているように、厚さ方向一方の面側において一対の係止突起７２，７２が突設されている一方、厚さ方向他方の面側において一対の係止凹所７４，７４が形成されている。そこにおいて、一対の係止突起７２，７２は、中間羽根板７０の長手方向に延びる直線に対して傾斜した直線上で挿通孔５０を挟んだ位置に設けられている。また、一対の係止凹所７４，７４は、中間羽根板７０の長手方向で挿通孔５０を挟んだ位置に形成されている。
【００３２】
このような構造とされた中間羽根板７０は、厚さ方向に重ね合わされた際に、各係止凹所７４に対して、厚さ方向他方の側に重ね合わせられる中間羽根板７０に設けられた各係止突起７２が収容されるようになっている。
【００３３】
そして、このようにして厚さ方向に重ね合わされた５枚の中間羽根板７０のうち最も手前側に配された中間羽根板７０は、最手前側羽根板５２に重ね合わされた際に、各係止突起７２が、最手前側羽根板５２に形成された各係止凹所５６内に収容されるようになっている。
【００３４】
また、上述の如く重ね合わされた５枚の中間羽根板７０のうち最も奥側に配された中間羽根板７０は、最奥側羽根板６２に重ね合わされた際に、各係止凹所７４に対して、最奥側羽根板６２に設けられた各係止突起６４が収容されるようになっている。
【００３５】
このようにして重ね合わされた７枚の羽根板４８における最奥側羽根板６２の奥側には、第一の手前側駆動力伝達部材７６が配されている。この第一の手前側駆動力伝達部材７６は、図１３及び図１４に示されているように、円弧状外周面に形成された係止歯７８を備えており、全体として扇形状とされている。また、第一の手前側駆動力伝達部材７６には、厚さ方向両側に突出する一対のボス部８０，８０が同一中心軸上に形成されている。更にまた、第一の手前側駆動力伝達部材７６には、これら一対のボス部８０，８０を貫通して各ボス部８０の中心軸線方向に延びる挿通孔８２が形成されている。そこにおいて、本実施形態では、挿通孔８２内に円環状の段差面８４が形成されている。これにより、かかる段差面８４を挟んで挿通孔８２の一方の側が他方の側よりも大径とされている。また、挿通孔８２の大径部分には、段差８６が形成されている。これにより、挿通孔８２の大径部分の一方の側においてＤ字断面で延びる部分が形成されている。
【００３６】
このような構造とされた第一の手前側駆動力伝達部材７６は、挿通孔８２の大径部分に対して、最奥側羽根板６２に設けられたボス部６６が挿通されるようになっている。そして、このように第一の手前側駆動力伝達部材７６に形成された挿通孔８２に最奥側羽根板６２に設けられたボス部６６が挿通された状態では、ボス部６６におけるＤ字断面部分が挿通孔８２の大径部分におけるＤ字断面部分に嵌め入れられるようになっており、その結果、第一の手前側駆動力伝達部材７６と最奥側羽根板６２が連結されて一体的に動くようになっている。
【００３７】
また、第一の手前側駆動力伝達部材７６の奥側には、第一の奥側駆動力伝達部材８８が配設されている。この第一の奥側駆動力伝達部材８８は、図１５及び図１６に示されているように、円弧状外周面に形成された係止歯９０を備えており、全体として扇形状を呈している。また、第一の奥側側駆動力伝達部材８８には、厚さ方向両側に突出する一対のボス部９２，９２が同一中心軸上に形成されている。更にまた、第一の奥側駆動力伝達部材８８には、これら一対のボス部９２，９２を貫通して各ボス部９２の中心軸線方向に延びる挿通孔９４が形成されている。そこにおいて、本実施形態では、挿通孔９４内に段差９６が形成されている。これにより、挿通孔９４には、その他方の側（図３における左側）において、Ｄ字断面で延びる部分が形成されている。
【００３８】
このような構造とされた第一の奥側駆動力伝達部材８８は、厚さ方向一方に突出するボス部９２が第一の手前側駆動力伝達部材７６に設けられた厚さ方向他方に突出するボス部８０に対して同一中心軸上で重ね合わせられるようにして、第一の手前側駆動力伝達部材７６よりも奥側に配されている。
【００３９】
そして、上述の如く７枚の羽根板４８と第一の手前側及び奥側駆動力伝達部材７６，８８が配された状態で、各部材４８，７６，８８に形成された挿通孔５０，８２，９４には、回動軸としてのロッド９８が挿通されている。そこにおいて、このロッド９８の軸方向両端は、何れも、Ｄ字形断面とされている。これにより、ロッド９８の軸方向一方の端部が最手前側羽根板５２に形成された挿通孔５０におけるＤ字断面部分に嵌め入れられることとなる。その結果、ロッド９８と最手前側羽根板５２が連結されて一体的に動くようになっている。
【００４０】
また、ロッド９８の軸方向他方の端部が第一の奥側駆動力伝達部材８８に形成された挿通孔９４におけるＤ字断面部分に嵌め入れられるようになっており、その結果、第一の奥側駆動力伝達部材８８とロッド９８が連結されて一体的に動くようになっている。
【００４１】
更にまた、上述の如く、７枚の羽根板４８と第一の手前側及び奥側駆動力伝達部材７６，８８が配された状態で、最手前側羽根板５２に設けられたボス部５４と第一の奥側駆動力伝達部材８８に設けられたボス部９２は、センター飾り４２に形成された支持凹部１００，１０２によってロッド９８の中心軸線回りに回転可能に支持されている。これにより、７枚の羽根板４８と第一の手前側及び奥側駆動力伝達部材７６，７８のそれぞれがロッド９８の中心軸線回りに回動可能な状態でセンター飾り４２に配設されている。
【００４２】
また、図１７に示されているように、第一の手前側駆動力伝達部材７６の係止歯７８には、手前側駆動モータ１０４の出力軸に固設されている第二の手前側駆動力伝達部材１０６に形成された係止歯１０８が噛合わされていると共に、第一の奥側駆動力伝達部材８８には、奥側駆動モータ１１０の出力軸に固設されている第二の奥側駆動力伝達部材１１２に形成された係止歯１１４が噛合わされている。
【００４３】
これにより、手前側駆動モータ１０４の駆動力が、第二の手前側駆動力伝達部材１０６と第一の手前側駆動力伝達部材７６を介して、最奥側羽根板６２に伝達されるようになっていると共に、奥側駆動モータ１１０の駆動力が、第二の奥側駆動力伝達部材１１２と第一の奥側駆動力伝達部材８８とロッド９８を介して、最手前側羽根板５２に伝達されるようになっている。
【００４４】
また、第二の手前側駆動力伝達部材１０６の近くには、手前側光電スイッチ１１８が配設されている。そして、本実施形態では、手前側光電スイッチ１１８の発光部から受光部に向けて発せられる光が第二の手前側駆動力伝達部材１０６に設けられた遮蔽板１１８によって遮蔽された状態が、第二の手前側駆動力伝達部材１０６、即ち、最奥側羽根板６２が初期位置にある状態とされている。
【００４５】
更にまた、第二の奥側駆動力伝達部材１１２の近くには、奥側光電スイッチ１２０が配設されている。そして、本実施形態では、奥側光電スイッチ１２０の発光部から受光部に向けて発せられる光が第二の奥側駆動力伝達部材１１２に設けられた遮蔽板１２２によって遮蔽された状態が、第二の奥側駆動力伝達部材１１２、即ち、最手前側羽根板５２が初期位置にある状態とされている。
【００４６】
因みに、本実施形態では、最手前側羽根板５２と最奥側羽根板６２は、図１７に示されている位置が初期位置とされており、最手前側羽根板５２と最奥側羽根板６２の両方が初期位置にある状態では、７枚の羽根板４８は板厚方向においてその全体が重ね合わせられている。そして、最手前側羽根板５２と最奥側羽根板６２の両方が初期位置にある状態を液晶表示器３６の表示画面の側から見ると、図２に示されているように、７枚の羽根板４８の全てが液晶表示器３６の表示画面の右側に位置せしめられている。
【００４７】
なお、図面上では明示されていないが、手前側駆動モータ１０４と奥側駆動モータ１１０は、それぞれ、センター飾り４２の適当な位置にネジ固定されるようになっている。また、手前側光電スイッチ１１６と奥側光電スイッチ１２０も、図面上では明示されていないが、それぞれ、適当な部材によってセンター飾り４２に固定されるようになっている。
【００４８】
また、手前側及び奥側駆動モータ１０４，１１０と手前側及び奥側光電スイッチ１１６，１２０は、それぞれ、パチンコ機１０における遊技の全体を制御する主制御回路（図示せず）に接続されている。そして、主制御回路が手前側及び奥側光電スイッチ１１６，１２０からの検出信号を参照しながら、例えば、液晶表示器３６の表示画面に表示されている演出画像と関連付ける等して、手前側及び奥側駆動モータ１０４，１１０を駆動制御するようになっている。
【００４９】
そこにおいて、主制御回路からの駆動信号により手前側駆動モータ１０４が順方向に駆動制御されると、手前側駆動モータ１０４の駆動力が第二の手前側駆動力伝達部材１０６と第一の手前側駆動力伝達部材７６を介して最奥側羽根板６２に伝達されることによって、先ず、最奥側羽根板６２が順方向（図２における左回りの方向）に回動せしめられることとなる。なお、本実施形態において、手前側駆動モータ１０４の順方向への駆動制御とは、最奥側羽根板６２を順方向（図２における左回りの方向）に回動せしめるための手前側駆動モータ１０４の駆動制御をいうものとする。
【００５０】
そして、最奥側羽根板６２が順方向に所定角度回動せしめられる毎に、図１８に示されているように、奥側に配されている羽根板４８に設けられた係止突起６４，７２が一つ手前側に配されている羽根板４８に設けられた係止凹所７４，５６の側壁に順次当接していくようになっている。これにより、最奥側羽根板６２によって引っ張られる羽根板４８の数が、最奥側羽根板６２が順方向に所定角度回動せしめられる毎に増えていくようになっている。
【００５１】
そこにおいて、図１８では、２枚の羽根板４８（中間羽根板７０）のうちの奥側に配されている羽根板４８（中間羽根板７０）に設けられた係止突起７２が一つ手前側に配されている羽根板４８（中間羽根板７０）に設けられた係止凹所７４の側壁に当接している状態が示されている。なお、図１８は、２枚の羽根板４８を手前側から見た状態を示している。また、図１８においては、手前側の羽根板４８に設けられた係止突起７２の図示は省略してある。
【００５２】
このように最奥側羽根板６２が順方向に所定角度回動せしめられる毎に最奥側羽根板６２によって引っ張られていく羽根板４８の数が増えてゆき、最奥側羽根板６２が順方向の回動端まで回動せしめられると、図１９に示されているように、奥側の羽根板４８とその一つ手前側の羽根板４８が板厚方向の投影においてその一部（最奥側羽根板６２の回動方向の順方向側とは反対側の縁部）が重なるようにして、７枚の羽根板４８が扇子状に広がるようになっている。
【００５３】
そして、このように７枚の羽根板４８が扇子のように広がることで、図２０に示されているように、液晶表示器３６の表示画面の右端が扇子状に広がった７枚の羽根板４８によって広範囲に覆い隠されるようになっている。
【００５４】
なお、図面上では明示されていないが、最奥側羽根板６２が順方向の回動端に位置せしめられた状態では、最手前側羽根板５２は初期位置（図２や図１７に示された位置）に位置せしめられていると共に、最手前側羽根板５２の一つ奥側に配されている中間羽根板７０に設けられた係止突起７２が最手前側羽根板５２に形成された係止凹所５６の側壁に当接せしめられている。
【００５５】
また、上述の如く、最奥側羽根板６２が順方向の回動端に位置せしめられて、主制御回路による手前側駆動モータ１０４の順方向への駆動制御が終了されて、奥側駆動モータ１１０の順方向への駆動制御が主制御回路によって開始されると、奥側駆動モータ１１０の駆動力が、第二の奥側駆動力伝達部材１１２と第一の奥側駆動力伝達部材８８とロッド９８を介して、最手前側羽根板５２に伝達されて、最手前側羽根板５２が順方向（図２における左回りの方向）に回動されるようになっている。なお、本実施形態において、奥側駆動モータ１１０の順方向への駆動制御とは、最手前側羽根板５２を順方向（図２における左回りの方向）に回動せしめるための奥側駆動モータ１１０の駆動制御をいうものとする。
【００５６】
そして、最手前側羽根板５２が順方向に所定角度回動せしめられる毎に、図２１に示されているように、手前側に配されている羽根板４８に設けられた係止凹所５６，７４の側壁が一つ奥側に配されている羽根板４８に設けられた係止突起７２，６４に当接していくようになっている。これにより、板厚方向の投影において最手前側羽根板５２の奥側にその全体が重ね合わされる羽根板４８の数が、最手前側羽根板５２が順方向に所定角度回動せしめられる毎に増えてゆくようになっている。
【００５７】
そこにおいて、図２１では、板厚方向で重ね合わされている２枚の羽根板４８（中間羽根板７０）のうちの手前側に配されている羽根板４８（中間羽根板７０）に設けられた係止凹所７４の側壁が一つ奥側に配されている羽根板４８（中間羽根板７０）に設けられた係止突起７２に当接している状態が示されている。なお、図２１は、２枚の羽根板４８を手前側から見た状態が示されている。また、図２１においては、手前側の羽根板４８に設けられた係止突起７２の図示は省略してある。
【００５８】
上述の如く、最手前側羽根板５２が順方向に所定角度回動せしめられる毎に板厚方向の投影において最手前側羽根板５２の奥側にその全体が重ね合わされる羽根板４８の数が増えていき、最手前側羽根板５２が順方向の回動端まで回動せしめられると、図２２に示されているように、全ての羽根板４８が板厚方向の投影においてその全体が重なるようになっている。この状態では、図２３に示されているように、液晶表示器３６の表示画面は、右下の領域の一部分のみが羽根板４８によって覆い隠されている。
【００５９】
そして、このように全ての羽根板４８が板厚方向で重ね合わされて順方向の回動端に位置せしめられた状態から、主制御回路が手前側及び奥側駆動モータ１０４，１１０の両方を逆方向（図２における右回りの方向）に駆動制御することによって、全ての羽根板４８を逆方向の回動端まで回動せしめると、図２に示されているように、全ての羽根板４８が初期位置に位置せしめられるようになっている。そこにおいて、本実施形態では、手間側駆動モータ１０４を逆方向に駆動制御するとは、最奥側羽根板６２を逆方向（図２における右回りの方向）に回動せしめるための手前側駆動モータ１０４の駆動制御をいい、奥側駆動モータ１１０を逆方向に駆動制御するとは、最手前側羽根板５２を逆方向（図２における右回りの方向）に回動せしめるための奥側駆動モータ１１０の駆動制御をいうものとする。
【００６０】
なお、図面上では明示されていないが、全ての羽根板４８を板厚方向の投影において重ね合わせた状態で逆方向の回動端まで回動する場合、奥側に配されている羽根板４８に設けられた係止突起７２，６４は、一つ手前側に配されている羽根板４８に設けられた係止凹所５６，７４の側壁に当接していることから、手前側駆動モータ１０４のみを逆方向に駆動制御することにより、全ての羽根板４８を板厚方向の投影において重ね合わせた状態で逆方向の回動端まで回動することも可能であるが、手前側駆動モータ１０４への負担を考慮すると、手前側及び奥側駆動モータ１０４，１１０の両方を逆方向に駆動制御することにより、全ての羽根板４８を板厚方向の投影において重ね合わせた状態で逆方向の回動端まで回動することが望ましく、それによって、手前側駆動モータ１０４の耐久性の向上を図ることが可能となる。
【００６１】
以上、手前側及び奥側駆動モータ１０４，１１０の駆動制御態様の一例について説明したが、手前側及び奥側駆動モータ１０４，１１０の駆動制御態様は、先に説明した駆動制御態様に限定されるものではなく、例えば、手前側及び奥側駆動モータ１０４，１１０を両方同時に順方向或いは逆方向に駆動制御することによって、全ての羽根板４８を板厚方向の投影においてその全体を重ね合わせた状態で順方向或いは逆方向に回動するようにしても良い。
【００６２】
なお、奥側駆動モータ１１０のみを順方向に駆動制御することによって、全ての羽根板４８を板厚方向の投影においてその全体が重なった状態で順方向に回動するようにしても良い。
【００６３】
また、全ての羽根板４８が初期位置（図２に示された位置）にある状態から、手前側及び奥側駆動モータ１０４，１１０を順方向に駆動制御する等して、全ての羽根板４８を板厚方向の投影においてその全体が重なった状態で回動方向の中間位置まで回動せしめた後（図２４参照）、手前側駆動モータ１０４を順方向に駆動制御する一方、奥側駆動モータ１１０を逆方向に駆動制御することにより、図２０に示されているように、７枚の羽根板４８を扇子状に広げるようにしても良い。
【００６４】
上述の説明から明らかなように、本実施形態では、最奥側羽根板６２によって一方側被駆動板状部材が構成されている。そして、本実施形態では、手前側駆動モータ１０４と第二の手前側駆動力伝達部材１０６と第一の手前側駆動力伝達部材７６によって一方側駆動手段が構成されている。
【００６５】
また、本実施形態では、７枚の羽根板４８において手前側に配されている羽根板４８に形成された係止凹所５６，７４の側壁において羽根板４８の回動方向一方（順方向）の側に位置する部分によって第一の係止部が構成されており、７枚の羽根板４８において手前側に配されている羽根板４８に形成された係止凹所５６，７４の側壁において羽根板４８の回動方向他方（逆方向）の側に位置する部分によって第二の係止部が構成されている。そして、本実施形態では、７枚の羽根板４８において手前側に配されている羽根板４８に形成された係止凹所５６，７４の側壁において羽根板４８の回動方向一方（順方向）の側に位置する部分及び羽根板４８の回動方向他方（逆方向）の側に位置する部分と、かかる係止凹所５６，７４に収容位置せしめられている係止突起７２，６４、即ち、７枚の羽根板４８において手前側に配されている羽根板４８の一つ奥側に配されている羽根板４８に設けられた係止突起７２，６４によって、連動手段が構成されている。
【００６６】
更にまた、本実施形態では、最手前側羽根板５２によって他方側被駆動板状部材が構成されている。そして、本実施形態では、奥側駆動モータ１１０と第二の奥側駆動力伝達部材１１２と第一の奥側駆動力伝達部材８８とロッド９８によって、他方側駆動手段が構成されている。
【００６７】
このようなパチンコ機１０においては、手前側及び奥側駆動モータ１０４，１１０によって駆動される７枚の羽根板４８が配設されたセンター飾り４２が設けられていることから、手前側及び奥側駆動モータ１０４，１１０を適当に駆動制御することによって、扇子を広げたり畳んだりするかの如く、７枚の羽根板４８を動かすことが可能となり、それによって、７枚の羽根板４８を大きく動かして目立たせることが可能となり、その結果、遊技者を楽しませることが可能となる。
【００６８】
また、全ての羽根板４８を板厚方向の投影においてその全体を重ね合わせて全体サイズをコンパクトにすることにより、全ての羽根板４８が初期位置にある状態では、液晶表示器３６の表示画面が羽根板４８によって覆い隠されていない状態となり、その結果、液晶表示器３６の表示画面に表示される演出画像が見やすいようにすることが可能となる。
【００６９】
特に、本実施形態では、７枚の羽根板４８が共通の回動軸回りで回動することで、上述の如く７枚の羽根板４８を扇子のように広げたり畳んだり出来るようになっていることから、７枚の羽根板４８を、大きく且つ速やかに、広げたり畳んだりすることが出来る遊技機用役物を、簡単且つコンパクトな構造で有利に実現することが可能となる。
【００７０】
以上、本発明の一実施形態について詳述してきたが、これはあくまでも例示であって、本発明は、かかる実施形態における具体的な記載によって、何等、限定的に解釈されるものではない。
【００７１】
例えば、前記実施形態では、手前側に配されている羽根板４８に設けられた係止凹所５６，７４の側壁に対して一つ奥側に配されている羽根板４８に設けられた係止突起７２，６４が当接した状態で、板厚方向で重なっている羽根板４８，４８同士が一体的に回動するようになっていたが、例えば、図２５乃至２７に示されているように、挿通孔５０よりも長手方向一方の側において板厚方向一方の側に突出する係止突起１２６が設けられていると共に、挿通孔５０に対して係止突起１２６が設けられた位置と反対側において板厚方向に貫通する案内孔１２８が形成された羽根板１２４と、挿通孔５０よりも長手方向他方の側において板厚方向一方の側に突出する係止突起１３２が設けられていると共に、挿通孔５０に対して係止突起が設けられた位置と反対側において板厚方向に貫通する案内孔１３４が形成された羽根板１３０とを、交互に重ね合わせて、羽根板１２４に形成された案内孔１２８に対して羽根板１３０に設けられた係止突起１３２が挿通位置されるようにすると共に、羽根板１３０に形成された案内孔１３４に対して羽根板１２４に設けられた係止突起１２６が挿通位置されるようにしても良い。この場合、羽根板１２４に形成された案内孔１２８の内周面に対して羽根板１３０に設けられた係止突起１３２が当接していると共に、羽根板１３０に形成された案内孔１３４の内周面に対して羽根板１２４に設けられた係止突起１２６が当接している状態で、板厚方向で重ね合わされた羽根板１２４，１３０同士が一体的に動くようになっている。即ち、この場合には、羽根板１２４，１３０に形成された案内孔１２８，１３４の各内周面における回動方向一方側によって第一の係止部が構成されており、羽根板１２４，１３０に形成された案内孔の各内周面における回動方向他方側によって第二の係止部が構成されている。そして、この場合には、羽根板１２４，１３０に形成された案内孔１２８，１３４の各内周面における回動方向一方側の部分及び他方側の部分と、係止突起１３２，１２６によって、連動手段が構成されることとなる。
【００７２】
また、前記実施形態では、７枚の羽根板４８が採用されていたが、６枚以下の羽根板４８を採用しても良いし、或いは、８枚以上の羽根板４８を採用しても良い。
【００７３】
更にまた、前記実施形態では、７枚の羽根板４８は初期位置にある状態で、液晶表示器３６の表示画面の右側に位置せしめられていたが、液晶表示器３６の表示画面の左側や上側或いは下側に位置せしめられていても良い。
【００７４】
また、前記実施形態では、奥側が一方の側とされており、手前側が他方の側とされていたが、一方の側と他方の側が入れ替わっていても良い。
【００７５】
更にまた、前記実施形態では、複数枚の板状部材が一軸回りに回動せしめられるようになっていたが、例えば、図２８に示されているように、複数枚（図２８では、３枚）の板状部材としてのスライド板１３６が一直線上を往復する際に連係作動せしめられるようにしても良い。
【００７６】
この場合、各スライド板１３６は、その上下方向両端の何れか一方がその幅方向に沿って延びるガイドレール溝（図示せず）に嵌め入れられて、かかるスライドレール溝に沿って移動可能に配設される。また、これら３枚のスライド板１３６のうち最も手前側にあるスライド板１３６ａと真中にあるスライド板１３６ｂの裏面（図２８中の紙面に垂直な方向での奥側の面）には、ガイド溝１３８が形成されている。更にまた、これら３枚のスライド板１３６のうち真中にあるスライド板１３６ｂと最も奥側にあるスライド板１３６ｃの表面（図２８中の紙面に垂直な方向での手前側の面）には、幅方向一方の側において突起１４０が設けられている。
【００７７】
そして、最も手前側にあるスライド板１３６ａに形成されたガイド溝１３８ａに対して、真中にあるスライド板１３６ｂに形成された突起１４０ｂが嵌め入れられると共に、真中にあるスライド板１３６ｂに形成されたガイド溝１３８ｂに対して、最も奥側にあるスライド板１３６ｃに形成された突起１４０ｃが嵌め入れられることにより、最も手前側にあるスライド板１３６ａ又は最も奥側にあるスライド板１３６ｃがガイドレール溝に沿ってその幅方向に動いた際に、突起１４０がガイド溝１３８の一方乃至は他方の端部の内周面（図２８中、左右方向の端部の内周面）に当接し、これら３枚のスライド板１３６が連係作動せしめられるようになっている。
【００７８】
そこにおいて、最も手前側にあるスライド板１３６ａ又は最も奥側にあるスライド板１３６ｃへの駆動力の伝達は、例えば、モータの駆動力を適当なクランク機構を介することによって、或いは、スライド板１３６の下端乃至は上端にラックを形成し、そのラックにモータの駆動力が伝達される歯車を噛合わせること等によって、有利に実現される。なお、スライド板１３６の下端乃至は上端にラックを形成する場合には、スライダ板１３６の幅方向外方に突出するロッド部分を設けて、そのロッド部分に対してラックを形成するようにしても良い。
【００７９】
上述の説明から明らかなように、この場合には、突起１４０によって係止突起が構成されており、ガイド溝１３８における一方の端部の内周面によって第一の係合部が構成されており、ガイド溝１３８における他方の端部の内周面によって第二の係合部が構成されている。
【００８０】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００８１】
【図１】本発明の一実施形態の遊技機としてのパチンコ機を示す正面図である。
【図２】図１に示されたパチンコ機に採用されているセンター飾りを示す正面図である。
【図３】図２におけるＩＩＩ−ＩＩＩ方向の断面図であって、その要部を拡大して示す図面である。
【図４】図２に示されたセンター飾りに配設されている７枚の羽根板のうち最手前側羽根板を示す正面図である。
【図５】図４に示された最手前側羽根板の右側面図である。
【図６】図４に示された最手前側羽根板の裏面図である。
【図７】図２に示されたセンター飾りに配設されている７枚の羽根板のうち最奥側羽根板を示す正面図である。
【図８】図７に示された最奥側羽根板の右側面図である。
【図９】図７に示された最奥側羽根板の裏面図である。
【図１０】図２に示されたセンター飾りに配設されている７枚の羽根板のうち中間羽根板を示す正面図である。
【図１１】図１０に示された中間羽根板の右側面図である。
【図１２】図１０に示された中間羽根板の裏面図である。
【図１３】図２に示されたセンター飾りに配設されている第一の手前側駆動力伝達部材を示す正面図である。
【図１４】図１３におけるＸＩＶ−ＸＩＶ断面図である。
【図１５】図２に示されたセンター飾りに配設されている第一の奥側駆動力伝達部材を示す正面図である。
【図１６】図１５におけるＸＶＩ−ＸＶＩ断面図である。
【図１７】図２に示されたセンター飾りに採用されている７枚の羽根板の駆動機構を説明するための斜視図であって、７枚の羽根が初期位置にある状態を示す図面である。
【図１８】２枚の羽根板のうちの奥側に配されている羽根板に設けられた係止突起が一つ手前側に配されている羽根板に設けられた係止凹所の側壁に当接している状態を説明するための平面図である。
【図１９】図２に示されたセンター飾りに採用されている７枚の羽根板の駆動機構を説明するための斜視図であって、７枚の羽根板が扇子状に広がっている状態を示す図面である。
【図２０】センター飾りの正面図であって、７枚の羽根板が扇子状に広がっている状態を示す図面である。
【図２１】２枚の羽根板のうちの手前側に配されている羽根板に形成された係止凹所の側壁に一つ奥側に配されている羽根板に設けられた係止突起が当接している状態を説明するための平面図である。
【図２２】図２に示されたセンター飾りに採用されている７枚の羽根板の駆動機構を説明するための斜視図であって、７枚の羽根が順方向の回動端位置にある状態を示す図面である。
【図２３】センター飾りの正面図であって、７枚の羽根板が順方向の回動端位置に状態を示す図面である。
【図２４】センター飾りの正面図であって、７枚の羽根板が回動方向の中間位置にある状態を示す図面である。
【図２５】本発明において採用可能な羽根板の重ね合わせ状態を説明するための縦断面図であって、図２６におけるＸＸＶ−ＸＸＶ方向に相当する縦断面図である。
【図２６】図２５に示されている二種類の羽根板の一方を示す正面図である。
【図２７】図２５に示されている二種類の羽根板の他方を示す正面図である。
【図２８】本発明において採用可能な羽根板を説明するための図面である。
【符号の説明】
【００８２】
１０  パチンコ機
４２  センター飾り
４８  羽根板
５２  最手前側羽根板
５６  係止凹所
６２  最奥側羽根板
６４  係止突起
７０  中間羽根板
７２  係止突起
７４  係止凹所
７６  第一の手前側駆動力伝達部材
８８  第一の奥側駆動力伝達部材
９８  ロッド
１０４  手前側駆動モータ
１０６  第二の手前側駆動力伝達部材
１１０  奥側駆動モータ
１１２  第二の奥側駆動力伝達部材
【図１】
2006334015.tif 000003
【図２】
2006334015.tif 000004
【図３】
2006334015.tif 000005
【図４】
2006334015.tif 000006
【図５】
2006334015.tif 000007
【図６】
2006334015.tif 000008
【図７】
2006334015.tif 000009
【図８】
2006334015.tif 000010
【図９】
2006334015.tif 000011
【図１０】
2006334015.tif 000012
【図１１】
2006334015.tif 000013
【図１２】
2006334015.tif 000014
【図１３】
2006334015.tif 000015
【図１４】
2006334015.tif 000016
【図１５】
2006334015.tif 000017
【図１６】
2006334015.tif 000018
【図１７】
2006334015.tif 000019
【図１８】
2006334015.tif 000020
【図１９】
2006334015.tif 000021
【図２０】
2006334015.tif 000022
【図２１】
2006334015.tif 000023
【図２２】
2006334015.tif 000024
【図２３】
2006334015.tif 000025
【図２４】
2006334015.tif 000026
【図２５】
2006334015.tif 000027
【図２６】
2006334015.tif 000028
【図２７】
2006334015.tif 000029
【図２８】
2006334015.tif 000030